(57)【特許請求の範囲】
【請求項１】
複数段のホールからなる装飾用ウェディングケーキであって、主に底盤と支柱と充填物とタオルとから構成され、
底盤を装飾用ウェディングケーキの底面とし、底盤の略中心点に支柱を立て、底盤の上に大きさが異なるホールを形成していき、
最下段のホールは、該支柱を中心として底盤上に複数個の充填物をなるべく隙間ができないように敷き詰めて配置し、該複数個の充填物をまとめて、それらの側面及び上面をタオルで覆うことで形成され、
上段のホールは、下段のホール上面に充填物を、支柱を中心としてなるべく隙間ができないように敷き詰めて配置し、該複数個の充填物をまとめて、それらの側面及び上面をタオルで覆うことで形成されることを特徴とする装飾用ウェディングケーキ。
【請求項２】
底盤、支柱、充填物はそれぞれ生活用品からなることを特徴とし、装飾用ウェディングケーキを飾り終えて分解した後も、構成材料を処分することなく生活用品として利用可能とした請求項１に記載の装飾用ウェディングケーキ。
【請求項３】
充填物としてロール状のキッチンペーパーを用いたことを特徴とする請求項２に記載の装飾用ウェディングケーキ。
【請求項４】
各ホールの上面に布帛を置いたことを特徴とし、
該布帛は、紐状の装飾品が外周に沿って等間隔に接着されており、
布帛をホール上面に置いた際に、装飾品がホール側面に垂下されることを特徴とした請求項１から請求項３の何れかに記載の装飾用ウェディングケーキ。
【請求項５】
主に底盤と支柱と充填物とタオルとから構成される、複数段のホールからなる装飾用ウェディングケーキの製造方法であって、
底盤の上面の略中心点に支柱を立てる工程と、
支柱を中心にして複数個の充填物を底盤の上になるべく隙間ができないように敷き詰めて配置する工程と、
充填物をまとめて、その側面と上面とをタオルで覆うことで最下段のホールを形成する工程と、
タオルで覆った充填物の上面にさらに支柱を中心にして充填物をなるべく隙間ができないように敷き詰めて配置する工程と、
これらの充填物をまとめて、その側面と上面とをタオルで覆うことで、上段のホールを形成する工程とからなることを特徴とするウェディングケーキの製造方法。
【請求項６】
底盤、支柱、充填物はそれぞれ生活用品からなることを特徴とし、装飾用ウェディングケーキを飾り終えて分解した後も、構成材料を処分することなく生活用品として利用可能とした請求項５に記載の装飾用ウェディングケーキの製造方法。
【請求項７】
薄い布帛であって、該布帛の略中央に孔部が設けられ、該孔部に支柱を通すことで、容易に請求項１から請求項６の何れか１項に記載の装飾用ウェディングケーキの各ホール上面に設置することができ、
該布帛の外周に沿って紐状の装飾品が等間隔に接着されており、該装飾用ウェディングケーキの各ホールの上面に置いた際に装飾品がホール側面に垂下され、容易にホールを装飾することができるホール装飾用布帛。
【請求項８】
主に支柱と２枚以上のタオルとから構成される装飾用ウェディングケーキであって、
タオルの短辺が支柱の長さと略同じ長さとなるようにして、支柱の周りにタオルを巻いていき、巻き終えた後、
短辺が支柱の長さよりも短くなるようにした別のタオルを、支柱に巻いたタオルの外側に巻いていくことで形成されることを特徴とする装飾用ウェディングケーキ。
【発明の詳細な説明】
【技術分野】
【０００１】
本発明は、分解すればタオル、キッチンペーパーなどの生活用品として使用可能であることを特徴とする装飾用ウェディングケーキに関するものである。
【背景技術】
【０００２】
結婚式や披露宴では、ウェディングケーキとして食用スポンジ生地や生クリームなどで作られた、食べることができるケーキが用いられる。このウェディングケーキは一般に新郎新婦が座る席の横に配置される。
しかし、イベントとしてウェディングケーキに入刀がなされると、その後食用のウェディングケーキはすぐにさげられてしまい、新郎新婦の横のウェディングケーキが配置されていた空間はすっぽりと空いた状態になってしまう。
そこで出願人は、食用ウェディングケーキがさげられた後に、食用ウェディングケーキの代わりに式場に置き飾ることができる、装飾用のウェディングケーキの開発を行った。
【０００３】
装飾用のケーキ形状品に関する文献として、例えば下記の文献が挙げられる。
【先行技術文献】
【特許文献】
【０００４】
【特許文献１】登録実用新案第３１３３９３１号公報
【発明の概要】
【発明が解決しようとする課題】
【０００５】
上記文献では、平板とタオル地を用いてショートケーキの形を再現した装飾品が開示されている。
【０００６】
しかし、これまでウェディングケーキのように複数段からなり、最下段の直径が数十ｃｍ、高さが１ｍを超えるようなケーキ装飾品は存在しなかった。
【０００７】
ウェディングケーキサイズの装飾品を作るとなると、複数の問題点が生じる。
まず一点目は、ウェディングケーキほどのサイズになると、全体としてかなり重くなってしまうため、重さを支持するために工夫をしなければならない点である。仮に発泡スチロールを使って骨格を作る場合は相当程度厚さ・耐久力があるものを用意しなければならないし、製造コストも高くなってしまう。
次に二点目は、食用ウェディングケーキの代わりに装飾用ウェディングケーキを飾り終わった後、装飾用ウェディングケーキを処分しなければならない点である。仮に発泡スチロールなどでウェディングケーキの骨格を作ると、装飾用ウェディングケーキが不要になったあと、すべて処分しなければならない。飾り終えた後も、装飾用ウェディングケーキに用いた材料が何らかの形で利用できれば、処分しなければならない材料がなくなり、廃材をなくすことができるため好ましい。
そして三点目は、食用ウェディングケーキに見劣りしない、美しい外観を具えることが難しい点である。
【０００８】
本発明は上記従来技術の問題点を解決するためになされたものであり、主にキッチンペーパーやタオルなどの生活用品のみで作製することで、装飾後分解して各材料が利用でき、ウェディングケーキ全体の荷重にも十分に耐えることができ、さらには食用ウェディングケーキと見間違えるほどの美観を備えた、装飾用ウェディングケーキを提供することを目的とする。
【課題を解決するための手段】
【０００９】
前記の課題を解決するために、本発明に係る装飾用ウェディングケーキは、複数段のホールからなる装飾用ウェディングケーキであって、主に底盤と支柱と充填物とタオルとから構成され、底盤を装飾用ウェディングケーキの底面とし、底盤の略中心点に支柱を立て、底盤の上に大きさが異なるホールを形成していき、最下段のホールは、該支柱を中心として底盤上に複数個の充填物をなるべく隙間ができないように敷き詰めて配置し、該複数個の充填物をまとめて、それらの側面及び上面をタオルで覆うことで形成され、上段のホールは、下段のホール上面に充填物を、支柱を中心としてなるべく隙間ができないように敷き詰めて配置し、該複数個の充填物をまとめて、それらの側面及び上面をタオルで覆うことで形成されることを要旨とする。
【００１０】
前記構成においてさらに本発明に係る装飾用ウェディングケーキは、底盤、支柱、充填物はそれぞれ生活用品からなることを特徴とし、装飾用ウェディングケーキを飾り終えて分解した後も、構成材料を処分することなく生活用品として利用可能としたことを要旨とする。
【００１１】
前記構成においてさらに本発明に係る装飾用ウェディングケーキは、充填物としてロール状のキッチンペーパーを用いたことを要旨とする。
【００１２】
前記構成においてさらに本発明に係る装飾用ウェディングケーキは、各ホールの上面に布帛を置いたことを特徴とし、該布帛は、紐状の装飾品が外周に沿って等間隔に接着されており、布帛をホール上面に置いた際に、装飾品がホール側面に垂下されることを要旨とする。
【００１３】
本発明に係る装飾用ウェディングケーキの製造工程は、主に底盤と支柱と充填物とタオルとから構成される、複数段のホールからなる装飾用ウェディングケーキの製造方法であって、底盤の上面の略中心点に支柱を立てる工程と、支柱を中心にして複数個の充填物を底盤の上になるべく隙間ができないように敷き詰めて配置する工程と、充填物をまとめて、その側面と上面とをタオルで覆うことで最下段のホールを形成する工程と、タオルで覆った充填物の上面にさらに支柱を中心にして充填物をなるべく隙間ができないように敷き詰めて配置する工程と、これらの充填物をまとめて、その側面と上面とをタオルで覆うことで、上段のホールを形成する工程とからなることを要旨とする。
【００１４】
本発明に係る装飾用ウェディングケーキの製造工程はさらに、底盤、支柱、充填物はそれぞれ生活用品からなることを特徴とし、装飾用ウェディングケーキを飾り終えて分解した後も、構成材料を処分することなく生活用品として利用可能としたことを要旨とする。
【００１５】
また、本発明に係るホール装飾用布帛は、薄い布帛であって、該布帛の略中央に孔部が設けられ、該孔部に支柱を通すことで、容易に装飾用ウェディングケーキの各ホール上面に設置することができ、該布帛の外周に沿って紐状の装飾品が等間隔に接着されており、装飾用ウェディングケーキの各ホールの上面に置いた際に装飾品がホール側面に垂下され、容易にホールを装飾することができることを要旨とする。
【００１６】
また、本発明に係る装飾用ウェディングケーキは、主に支柱と２枚以上のタオルとから構成される装飾用ウェディングケーキであって、タオルの短辺が支柱の長さと略同じ長さとなるようにして、支柱の周りにタオルを巻いていき、巻き終えた後、短辺が支柱の長さよりも短くなるようにした別のタオルを、支柱に巻いたタオルの外側に巻いていくことで形成されることを要旨とする。
【発明の効果】
【００１７】
本発明に係る装飾用ウェディングケーキによると、底盤（円盤）の上に立てた支柱を中心として充填物を円周上に配置し、袋物や紐などでそれら全体を固定した後、タオルで覆ってホールを形成していくため、充填物がずれたり動いたりすることなく、上からの荷重に対して下段がつぶれたり変形したりすることがなくなる。
【００１８】
各物品どおしは、くぎ加工や溶接加工などの方法で接着させる必要はなく、各物品は連携していない。また、底盤は丸盆や樹脂製又は金属性のお皿など、充填物はロール状のキッチンペーパーなど、支柱はロール状クッキングシート、カーテンポール、傘など、それぞれ生活用品で構成されるため、装飾用ウェディングケーキを飾り終えて分解した後も、構成材料を処分することなく、すべて本来の用途として利用が可能である。
また、装飾用ウェディングケーキ全体の重さも非常に軽く、1人で持ち運びも可能である。  
【００１９】
また、充填物をタオルで覆い、かつ装飾品として造花を設けたり、頂上にブーケを設けたり、側面にシルク等滑らかな生地を巻いたり、リボンを取り付けたりすることで、見た目に食用ウェディングケーキと見間違えるほどよく似た華やかな装飾用ウェディングケーキができる。
さらに装飾品には一切面ファスナやピンなどを用いておらず、支柱と充填物とを固定するにも袋物や紐などを利用していることから、タオル生地を傷つけるような懸念がない。そのため、分解した後、傷ついていない非常にきれいなタオルを利用できる。
【図面の簡単な説明】
【００２０】
【図１】実施例１に係る装飾用ウェディングケーキの作製工程を示す参考図である。
【図２】実施例１に係る装飾用ウェディングケーキの作製工程を示す参考図である。
【図３】実施例１に係る装飾用ウェディングケーキの作製工程を示す参考図である。
【図４】実施例１に係る装飾用ウェディングケーキの作製工程を示す参考図である。
【図５】実施例１に係る装飾用ウェディングケーキの作製工程を示す参考図である。
【図６】実施例１に係る装飾用ウェディングケーキの作製工程を示す参考図である。
【図７】実施例１に係る装飾用ウェディングケーキの作製工程を示す参考図である。
【図８】実施例１に係る装飾用ウェディングケーキの作製工程を示す参考図である。
【図９】実施例１に係る装飾用ウェディングケーキの作製工程を示す参考図である。
【図１０】実施例１に係る装飾用ウェディングケーキの作製工程を示す参考図である。
【図１１】実施例１に係る装飾用ウェディングケーキの作製工程を示す参考図である。
【図１２】実施例１で用いる円形布帛の構造を示した平面参考図である。
【図１３】実施例１で用いる装飾用帯体の構造を示した参考図である。
【図１４】実施例１に係る装飾用ウェディングケーキの外観を示す参考図である。
【図１５】実施例２に係る装飾用ウェディングケーキの外観を示す参考図である。
【図１６】実施例４に係る装飾用ウェディングケーキの作製工程を示す参考図である。
【発明を実施するための形態】
【００２１】
本発明に係る装飾用ウェディングケーキは、主に、底盤（又は円盤、矩形盤等）、充填物、支柱、タオル、その他の装飾品からなる。
【００２２】
本発明に係る装飾用ウェディングケーキは複数段からなるが、底盤は最下段の充填物の下に敷いて用いる。大きさは作製しようとするウェディングケーキの大きさに合わせて任意に設定すればよい。
また、材質も樹脂製や金属製など任意であるが、金属製、とりわけステンレス製のものを用いるとある程度の荷重にも耐えることができ、底盤が見えてしまった場合でも銀色で美観を損なうことがないため好ましい。
なお、支柱、充填物、タオル（及び底盤）などからなる装飾用ウェディングケーキ各段の単位をここではホールという。
【００２３】
また、底盤は装飾用ウェディングケーキを分解した後、底盤を利用できるよう、生活用品を用いることが好ましい。例えば、円盤状の丸盆や樹脂製又は金属製のお皿などを利用することが考えられる。
【００２４】
支柱は、底盤の略中心点に立てて用いる、細長い棒状の部材である。円柱、四角柱など、棒状であれば形状は任意である。長さ（高さ）は作製しようとする装飾用ウェディングケーキの大きさに合わせて任意に設定すればよいが、底面の底盤の位置から、最上段のホールの上面位置までの長さのものを用いることが好ましい。
通常３段で入刀に用いられるウェディングケーキの高さは、５０ｃｍから２ｍ程度である。
【００２５】
複数段となっているホールを貫通させて中心に支柱を添えることで、各ホールがずれたり崩れたりすることがなくなる。
また、支柱の材質についてもある程度の強度を備えていれば樹脂製や金属製など任意であるが、装飾用ウェディングケーキを分解した後、支柱を利用できるよう、生活用品を用いることが好ましい。
例えば、ロール状クッキングシート、ロール状食器用シート、カーテンレール、カーテンポール、食品包装用ラップなどが棒状かつある程度の強度を備えており、好適に用いられる。また、折り畳み傘を用いると、支柱のサイズが任意に変更でき、ケーキ自体の高さの調整が容易にできる。
【００２６】
充填物は、支柱の周囲に配置することで、装飾用ウェディングケーキの各ホールの基本形状を作るためのものである。例えば最下段のホールにおいては、底盤の中心点に支柱を立てた後、底盤上に支柱の周囲に配置していく。充填物を円周上に配置することで、ホールの大まかな形状ができる。２段目より上は、下段の充填物の上に積み重ねて円周上に配置していくとよい。
充填物の高さは作製しようとしているウェディングケーキの各ホールの高さに一致するものを使用すればよく、任意である。充填物の大きさや形状は任意であるが、円柱状の充填物を用いた場合、直径が小さいと充填物を多く配置せねばならず作製に手間と費用がかかり、一方で直径が大きいと充填物を少数しか配置できず、充填物の側面が均一に曲面を形成せず、それにタオルを巻きつけても美しい円形が形成しにくくなるため、ホールの形状が作りにくい。そのため、円柱状の充填物を用いる場合は、直径約９ｃｍから約１１ｃｍとすると好ましい。
【００２７】
また、充填物の材質は、樹脂製、金属製、紙製などある程度強度があり柔軟性を有すれば任意であるが、装飾用ウェディングケーキを分解した後、充填物を再利用できるよう、生活用品を用いることが好ましい。
具体的には、円柱状のキッチンペーパーや巻きタオル、紙おしめが好適に用いられる。特にキッチンペーパーは縦向けて設置すると、上下方向に加わる力に対して耐久力があり、軽量で、横から力を加えるとある程度柔軟に変形して形状を整えることができるため好ましい。
【００２８】
タオルは、各ホールにおいて円周上に配置された充填物の側面に巻き付け、かつ上面を覆うようにして用いる。タオルは、各ホールに配置した充填物の側面と上面とをカバーできれば大きさは任意である。例えば直径が大きなホールを形成するにあたってはバスタオルを用い、直径が小さいホールを形成するにあたってはフェイスタオルを用いるとよい。
また、色も任意であり、白色のタオルを用いると生クリームでできたウェディングケーキのような外観になり、茶褐色のタオルを用いると、チョコレートクリームでできてウェディングケーキのような外観になる。
タオルはなるべく生地が滑らかで細かい高級品を用いることが好ましい。例えば今治タオルは生地が上質であり好適に用いられる。その他、泉州タオルも生地が良く、好適に用いられる。
支柱まわりに充填物を配置した後、紐で縛ったり、伸縮性のある袋に入れることで支柱と充填物と底盤とを密着固定でき、形状が崩れることがなく、完成後の持ち運びもできる。
【００２９】
なお、最上段のホールに関しては、上側から荷重がかからないため、充填物を用いず、支柱に直接タオルを複数回巻きつけて、ホールを形成してもよい。
【００３０】
装飾品は主に装飾用ウェディングケーキの外観を綺麗にみせるためのものであり、種々の物品が考えられる。例えば花束をまとめたブーケを最上段のホールの中心に刺してもよいし、リボンをホールに巻いたり、上段から下段に垂らしたりして飾ってもよい。
また、レースの入った円形の布帛を各ホール上面にかぶせると、生クリームでホール側面に模様を入れているような美観を演出することができ、ホール上面のタオル生地も隠すことができるため好ましい。布帛の中央に切れ込みを入れることで、支柱の上から被せることができる。この円形の布帛にさらに円周上に間隔をあけてビーズを接着させることで、ホール側面にビーズが弧を描いて吊り下げられるため、高級感を演出できる。
そのほか、細長いシルク生地をホール側面のタオル生地に巻きつけてもよいし、このシルク生地や、あるいは上記の円形の布帛に造花を取り付け、所々造花が見えるようにすると華々しくなり好ましい。
装飾品には面ファスナやピンなどを一切用いないため、装飾品をタオル生地に取り付けた際に、タオル生地を傷つけるような懸念がない点に大きな特徴がある。
【実施例１】
【００３１】
以下、本発明に係る装飾用ウェディングケーキの好ましい第１の実施形態について、図１から図１４を参照しながら説明する。
【００３２】
本実施例に係る装飾用ウェディングケーキ（１）は、主に円盤（２）、支柱（３）、円柱状充填物（４、４’）、タオル（６、１０、１１）その他の装飾品からなる。円盤、支柱、円柱状充填物、タオルにつき、それぞれ装飾用ウェディングケーキを分解した後も利用できるように、生活用品を用いている点に大きな特徴がある。
【００３３】
各材料の大きさや長さ、形状などは作製しようとするケーキの大きさにあわせて適宜決めればよいが、本実施例では、円盤（２）には直径約３６ｃｍのステンレス製の丸盆を用いている。また、支柱（３）には、長さ約６０ｃｍの細長いロール状のクッキングシートを用いている。また、円柱状充填物（４）には、一つあたり円の直径が約１０ｃｍ、かつ長さが約２０ｃｍのロール状のキッチンペーパーを用いている。タオルは後述の通り、それぞれ大きさの異なる上質のタオルを用いている。
なお支柱として、一般に使用されやすい長さ３０ｃｍのクッキングシートを二本、適宜つなげて用いてもよい。
これらはすべて単独で使えるものばかりであり、装飾用ウェディングケーキを飾り終えて分解した後も処分することなく本来の用途として利用することができる。
なお、丸盆、クッキングシート、キッチンペーパーは包装を外して用いてもよいが、後々利用することを考えると、包装を外さず利用したほうが衛生上好ましい。
特にキッチンペーパーは本実施例では２個で包装されているものを利用している。この２個で包装された状態のものを利用することで、２個の状態でキッチンペーパーが強固に固定され、複数セット用いた際の形状保持に非常に役立つ。
【００３４】
以下、本実施例に係る装飾用ウェディングケーキ（１）の作製方法につき詳述する。最終的には図１４に示すように、直径の異なる３段のホールからなる装飾用ウェディングケーキ（１）が完成する。
まずは３段のホールのうち、最下段のホールの作製方法につき、図１から図５、及び図１２を参考にしながら説明する。
【００３５】
まず図１に示すように、丸盆（２）を敷き、ウェディングケーキの底面とする。次に、丸盆の略中心点にクッキングシート（３）を立てて設置する。クッキングシートは立てて置くだけでよく、丸盆とクッキングシートとは固定する必要はない。
【００３６】
次に図２に示すように、丸盆の上に、クッキングシートを中心として円周上にキッチンペーパー（４）を４つ縦向きに設置し、さらにこの４つのキッチンペーパーの外側に円周上に８つのキッチンペーパー（４’）を縦向きに設置する。
キッチンペーパーは一つずつ単独で設置してもよいが、本実施例では２個入りのキッチンペーパーを包装を外さずに用いている。購入状態ではキッチンペーパーは２個がしっかりと包装により固定されており、２個単位で利用することで、キッチンペーパーがずれにくくなるとともに、全体を作り上げた後にもくずれを防止できる。
キッチンペーパーの数は、作製しようとする装飾用ウェディングケーキのサイズにより任意であるが、本実施例の各部材のサイズによると、上記のようにキッチンペーパーを配置すると過不足なく丸盆の上に配置することができるため好ましい。
なお、キッチンペーパーはできるだけ隙間なく密着させて配置したほうが、形状をしっかりと保持することができるため好ましい。二個組みのキッチンペーパーの間に、別のキッチンペーパーが入るように配置すると、キッチンペーパーどおしがより隙間なく密着するため好ましい。
【００３７】
そしてこのままではクッキングシート（３）とキッチンペーパー（４）が動いたりずれたりしてしまうため、図３に示すように、丸盆とキッチンペーパーを袋体（５）で覆い固定する。袋体は挿入口が巾着になっているものを用いている。上部の巾着を緩め、丸盆、キッチンペーパー、支柱を上方より袋内に入れた後、巾着を締めることで挿入口を閉じることができ、容易に丸盆とキッチンペーパーと支柱を袋体で固定することができる。巾着の紐は支柱に巻きつけるとよい。
このようにすることで、丸盆とキッチンペーパーとを固定することができ、かつキッチンペーパーを支柱に固定することができる。
なお、丸盆とキッチンペーパーが動かないように固定できればこの方法によらなくてもよく、例えば紐状部材でキッチンペーパーと丸盆と支柱とを巻きつけて固定する方法をとってもよい。
【００３８】
そして図４に示すように、袋体（５）の上からタオル（６）を巻きつけて覆う。本実施例の材料のサイズに合わせて、タオルのサイズは縦６５ｃｍ、横１３０ｃｍのバスタオルを用いている。
タオルの巻き方に工夫があり、まず、タオルを長手方向に折り畳み、山折部分を底面（丸盆の周縁）に沿うようにして、タオルを（袋体越しに）キッチンペーパー側面に一周以上巻きつける。そして、キッチンペーパーの上側に位置するタオルの余った部分を上面に沿わせて、（袋体越しに）キッチンペーパーの上面をタオルで覆い、支柱と支柱を囲むキッチンペーパーとの間にできる隙間（２０）にタオルを折り込み、表から見えないように処理する。
これにより、キッチンペーパーの側面と上面とがタオルで覆われ、支柱とキッチンペーパーとの隙間もなくなる。
【００３９】
以下、円形布帛（８）の作製方法につき、図１２を参考にしながら説明する。
図１２に示すように、円形布帛（８）は外周にレース（１４）が施された略円形の薄い布帛である。レース生地やシルク生地が好適に用いられる。
中央には、支柱（３）を通すための切れ込み（１２）が入っている。本実施例では十字に切れ込みをいれているが、支柱の断面にあわせて切れ目を入れても良い。
【００４０】
また、円形布帛（８）には見栄えを良くするために外周にパールビーズ（９）を取り付けている点に特徴がある。ビーズの取り付け方に工夫があり、円形布帛の裏面に円状にブレード刺繍（１３）を施し、そのブレード刺繍の孔部に間隔をあけてビーズを取り付けている。ブレード刺繍は所定間隔ごとに孔部があるものならどのような模様の刺繍でもよいが、ここでは直径１ｃｍ程度の半円が連続しているタイプのブレード刺繍を用いている。
ビーズは円形布帛の円周よりも長いものを用意し、ブレード刺繍を境にして外側を下方に折り曲げた際、ビーズが所定間隔ごとに弧を描いてぶら下がるように設置する。
ビーズは一重にしてもよいし、二重になるようにしてもよい。
円形布帛のうちブレード刺繍を施した箇所までの直径が、装飾用ウェディングケーキ（１）の各ホール上面の直径と略等しくなるようにすると、円形布帛をホール上面に置いた場合にレース（１４）部分が折り曲がり、ホール側面からレース模様が見えるようになる。
【００４１】
また、円形布帛（８）の表面にも、裏面に取り付けたブレード刺繍よりも小さな径の円形のブレード刺繍（１３’）を縫着している。そして、造花（１６）の茎の先端を、この表面側のブレード刺繍の孔部に巻きつけて、造花が円形布帛の外周近辺にくるようにして設置される。これにより、上段のホールを形成した際に、上段ホールの底面縁部から造花が生えたように位置することになり、外観が華やかになる。
【００４２】
上記の方法で作製した円形布帛（８）を、装飾用ウェディングケーキの１段目（最下段）ホール（２１）の上面に覆うようにして置く。円形布帛の中央には切れ目があるため、支柱（３）を切れ目に通すことで容易に設置できる。
すると図５に示すように、円形布帛の外周に施されたレース模様（１４）がホール側面上端に位置し、かつ円形布帛に取り付けられたビーズ（９）が所定間隔で弧を描いて垂下される。
ホール側面にレース柄やビーズが見えるため、外観上華やかになる。
【００４３】
次に、図６から図８を参照しながら、第２段目（中段）のホールの作製方法につき説明する。
【００４４】
まず図６に示すように、第一段目のホール上面に、クッキングシート（３）を中心にしてキッチンペーパー（４）を縦方向にして円周上に配置する。本実施例では、クッキングシートの周囲に２個ずつ３組のキッチンペーパーを配置している。
【００４５】
次に、キッチンペーパーが動いたりずれたりしないように、キッチンペーパーをすべてまとめて紐状部材（１５）で縛る。すべてのキッチンペーパーがクッキングシートにくくりつけられるため、キッチンペーパーが固定される。
【００４６】
そして図７に示すように、一段目（最下段）と同様にキッチンペーパーの側面と上面とをタオル（１０）で覆う。タオルは一段目を覆ったものと同サイズのものを利用してもよいが、キッチンペーパー６個分を覆う場合、縦３５ｃｍ、横９０ｃｍ以上のタオルを用いると過不足なく覆い隠すことができる。
【００４７】
その後図８に示すように、一段目上面にのせた円形布帛を一回り小さくした、二段目（中段）上面の直径にあわせたサイズの円形布帛（８）を二段目上面に置く。
【００４８】
以下、図９及び図１０を参照しながら、三段目（最上段）のホールの作製方法につき説明する。
【００４９】
三段目のホールも一段目、二段目と同様にキッチンペーパーをクッキングシートの周囲に配置して作製してもよいが、本実施例では三段目は最上段となるため、上から荷重がかかることはない。そのためキッチンペーパーを利用して荷重に耐えられるようにする必要はない。
本実施例では図９に示すように、縦３５ｃｍ、横９０ｃｍのフェイスタオル（１１）をクッキングシート（３）に巻きつけて、三段目のホール形状を作っている。
なお、タオルを巻きつけただけではすぐに解けてしまうため、タオルが解けないような工夫をする必要がある。本実施例では、後述の装飾用帯体（７）を利用してタオルが解けないように固定している。
【００５０】
その後図１０に示すように、二段目上面にのせた円形布帛を一回り小さくした、三段目（最上段）上面の直径にあわせたサイズの円形布帛（８）を三段目上面に置く。なお、最上段にはブーケやリボン等の装飾品を設けることから、この円形布帛では、ビーズや造花は取り付けていない。
【００５１】
以上の製作工程により、食用ウェディングケーキに外観がよく似た、装飾用ウェディングケーキ（１）の基本構造が完成する。
【００５２】
本発明に係る装飾用ウェディングケーキは主に結婚式場などで利用することを目的としているため、外観が華やかになるようにさらに工夫を加えている。
【００５３】
まず、各ホールの側面に巻きつけて用いるための装飾用帯体（７）を用いる。
装飾用帯体（７）は図１３に示すように薄い長方形の帯で、材質は任意であるが本実施例では見た目の高級感を演出するためにシルク生地を用いている。そしてこの帯体に造花（１６）の茎部分を巻きつけることで、造花を取り付けている。
そして装飾用帯体の長手方向に並行に細い針金（１７）を通している点に特徴がある。装飾用帯体（７）は図１１に示すように、各ホールの側面に巻きつけて用いる。ここで帯体の端部と端部とを着脱可能とする必要があるが、面ファスナやピンなどを用いると面ファスナやピンがタオルに接着した際にタオルを傷つけてしまうため好ましくない。
本実施例における装飾用帯体では、針金を長手方向に通しているため、帯体の端部と端部とを合わせて折り畳むだけで、容易に端部どおしをくっつけることが可能となる。
この装飾用帯体をホール側面に巻きつけることで、シルク生地の高級感が演出され、かつ造花も側面に見えるようになり見栄えがする。
【００５４】
最後に、図１４に示すように、三段目（最上段）の上面中央に、ブーケ（１８）を差込み、リボン（１９）をブーケにくくりつけ、リボンの端を側面に垂らすと外観が非常に華やかな装飾用ウェディングケーキが完成する。
なお、タオルの大きさは上記に限定されず、例えば縦幅７０ｃｍ、横幅１３０ｃｍ程度のバスタオルや、縦幅３５〜４０ｃｍ、横幅１１０ｃｍ程度のフェイスタオルなど、作成しようとする装飾用ウェディングケーキの大きさに合わせて適宜用いればよい。
【実施例２】
【００５５】
以下、本発明に係る装飾用ウェディングケーキの好ましい第２の実施例について説明する。
【００５６】
実施例１ではロール状キッチンペーパー（円柱状充填物）を利用する装飾用ウェディングケーキについて説明したが、本実施例では、キッチンペーパーなどの円柱状充填物を用いない装飾用ウェディングケーキについて説明する。
【００５７】
まず、矩形バスタオルの短い端部の長さにあった支柱を用意する。ある程度の強度があれば材質は任意であるが、本実施例では筒状の食品包装用ラップを用いる。ラップを箱詰めされた状態で用いてもよいが、ラップを箱から取り出して利用すると、細い円柱の状態で利用できるため好ましい。本実施例で用いるラップの長さは約１５ｃｍである。
【００５８】
次に図１５に示すように、バスタオル（３２）を折り畳み、短辺が約１５ｃｍの長さになるように調整し、バスタオルを垂直に立てたラップ（３）の周りに巻いていく。
【００５９】
そしてもう一枚バスタオル（３３）を用意し、二枚目のバスタオルは短辺がラップの長さよりも短くなるように折り畳む。本実施例では、二枚目のバスタオルの短辺が１０ｃｍとなるように折り畳んでいる。
一枚目のバスタオル（３２）をラップ（３）の周りに巻き終えた後、さらにその上から、二枚目のバスタオル（３３）を巻きつけていく。
その後、実施例１で説明した細い針金入りの装飾用帯体（７）で二枚目のバスタオルの周囲を巻いてとめれば、容易に二段からなる装飾用ウェディングケーキ本体（３２）が完成する。あとはパールビーズを巻いたり、造花を取り付けたり、ブーケを頂上に差し込むことで、外観が華やかな、装飾用ウェディングケーキが完成する。
【００６０】
なお、上記では支柱に円柱のラップを用いて説明したが、細い棒状になり、ある程度の強度が保てればラップに限定されない。
その他、可撓性を有する樹脂製のカードケースを利用してもよい。カードケースは通常利用する形状は薄い矩形状であるが、容易に丸めることができる。カードケースを適度な直径となるように丸めて支柱とし、その周りに上記のようにタオルを巻いていくことでも本実施例における装飾用ウェディングケーキを作ることができる。
このように可撓性を有する矩形状の素材を丸めて支柱にすることで、支柱の直径を任意に設定できるという利点が生じる。
【実施例３】
【００６１】
以下、本発明に係る装飾用ウェディングケーキの好ましい第３の実施例について説明する。
まず、長方形タオルの短い端部の長さにあった支柱を用意する。ある程度の強度があれば材質は任意であるが、本実施例では丸めた包装用紙を用いる。
そして、この支柱（包装用紙）にタオルを巻きつけていき、実施例１で説明した細い針金入りの装飾用帯体で周囲を巻いてとめれば、容易にケーキの１ホールが完成する。
【００６２】
次に、これと同じ方法で先に作製したホールの上にのせるホールケーキを作製する。平面視の直径が、１段目よりも小さくなるようにする必要がある。このようにするには、種々の方法が考えられるが、例えば一段目のホールは支柱にタオルを２枚分巻きつけて、平面視の直径が大きいホールを作製し、上段のホールには支柱にタオルを１枚分巻きつけて、平面視の直径が小さいホールを作製するとよい。
【００６３】
そして直径の大きなホールの上に、直径の小さなホールをのせると、２段の装飾用ウェディングケーキが完成する。あとはパールビーズを巻いたり、造花を取り付けたり、ブーケを頂上に差し込むことで、外観が華やかな、装飾用ウェディングケーキが完成する。
【実施例４】
【００６４】
以下、本発明に係る装飾用ウェディングケーキの好ましい第４の実施例について説明する。
【００６５】
本実施例における装飾用ウェディングケーキは、支柱（３）にクッキングペーパーではなく折り畳み傘（３６）を用いた点に特徴があり、その他は実施例１で詳述した装飾用ウェディングケーキと同じである。
図１６に示すように、折り畳み傘（３６）を丸盆の上面略中心点に設置し、実施例１で詳述した方法で最下段のホール（２１）から形成していく。図１６では３段傘を用いているため傘の持ち手（３４）を上側にしているが、実際は傘の持ち手（３４）を上側にしても下側にしてもよい。２段傘の場合は傘の柄を伸ばした状態で、傘の持ち手を下側にして用いてもよい。
【００６６】
また、折り畳み傘の種類によっては、傘の柄（３５）が細いものがある。このような場合、支柱として強度を増すために、筒状の食品包装用ラップを傘の柄の周囲に通してもよい。
【００６７】
折り畳み傘は傘の柄（３５）の長さを、長くしたり短くしたりと自由に調節できる。そのため支柱に折り畳み傘を用いることで、タオルを巻きつけていく支柱の高さを任意に変えることができ、最終的に完成するホールの高さを折り畳み傘の柄の長さを変更することで容易に調節できる。
【００６８】
なお、上記各実施例において、巻きつけたタオルの端部はそのままでもよいが、タオルの端部よりもやや長い長方形状の不織布を用意し、タオル端部にあてて不織布の上端と下端と側端とをタオルの裏側に折り畳み、タオル端部に手当てを行ってもよい。このようにすることで、タオルの端部が不織布で覆われ、タオル端部にできる段差が見えにくくなり、見栄えがよくなる。
【００６９】
なお、上記各実施形態の記述は本発明をこれに限定するものではなく、本発明の要旨を逸脱しない範囲で種々の設計変更等が可能である。なお、いずれの実施例においても、タオルケーキ自体の形状を矩形とした場合には、矩形充填物等を矩形に充填し、タオルを矩形に巻きつけることで形成可能となる。この場合、矩形充填物は任意であるが、例えば箱ティッシュが好適に用いられる。
【符号の説明】
【００７０】
１    装飾用ウェディングケーキ
２    円盤又は矩形盤（丸盆）
３    支柱（クッキングシート）
４、４’    円柱状充填物（キッチンペーパー）
５    袋体
６    一段目タオル
７    装飾用帯体
８    円形布帛
９    パールビーズ
１０  二段目タオル
１１  三段目タオル
１２  切れ込み
１３、１３’  ブレード刺繍
１４  レース
１５  紐状部材
１６  造花
１７  針金
１８  ブーケ
１９  リボン
２０  すきま
２１  一段目ホール
２２  二段目ホール
２３  三段目ホール
３１  装飾用ウェディングケーキ
３２  内側タオル
３３  外側タオル
３４  傘の持ち手
３５  傘の柄
３６  折り畳み傘
【図１】
0005438147.tif 000002
【図２】
0005438147.tif 000003
【図３】
0005438147.tif 000004
【図４】
0005438147.tif 000005
【図５】
0005438147.tif 000006
【図６】
0005438147.tif 000007
【図７】
0005438147.tif 000008
【図８】
0005438147.tif 000009
【図９】
0005438147.tif 000010
【図１０】
0005438147.tif 000011
【図１１】
0005438147.tif 000012
【図１２】
0005438147.tif 000013
【図１３】
0005438147.tif 000014
【図１５】
0005438147.tif 000015
【図１６】
0005438147.tif 000016
【図１４】
0005438147.tif 000017